(57)【要約】【課題】  気密性、密閉性を満たしてクリーンルーム等の密閉された部屋の天井面に設置して、且つ、天井裏空間側からランプ取替を容易におこなうために、設置状態における照明効率を低下させることなくメンテナンス性を高めた照明器具を提供すること。【解決手段】  器具本体２内の前面側にランプ室２１と、同ランプ室２１背面に器具本体２の背面外部へ通じる扉４の配設された開口部２２とを有して成り、扉４を開放させて天井裏空間側からランプ室２１内のランプ３１が取替可能となるよう設置される照明器具１である。器具本体２背面に、ランプ３１の作動状態を表示する表示手段５を設ける。【選択図】図１
2006120472.tif 000002
【特許請求の範囲】
【請求項１】
器具本体内の前面側にランプ室と、同ランプ室背面に器具本体の背面外部へ通じる扉の配設された開口部とを有して成り、前記扉を開放させて天井裏空間側から前記ランプ室内のランプが取替可能となるよう設置される照明器具であって、
前記器具本体背面に、前記ランプの作動状態を表示する表示手段を設けたことを特徴とする照明器具。
【請求項２】
前記表示手段を発光表示部材にて形成し、前記扉に設けられる扉開放用部材の周辺に配設して成ることを特徴とする請求項１に記載の照明器具。
【請求項３】
前記表示手段を、前記ランプの点灯時における不点灯作動を感知し消灯するよう成したことを特徴とする請求項１または請求項２いずれかに記載の照明器具。
【発明の詳細な説明】
【技術分野】
【０００１】
本発明は、クリーンルーム等の密閉された室内照明に用いる照明器具に関する。
【背景技術】
【０００２】
従来から、この種の照明器具では、気密性、密閉性を満たすことが重要な要素の一つとなっている。この目的のために、例えば、特開２００３−６５５７６公報に示されたクリーンルーム等に用いる照明器具にあっては、気密性、密閉性を満たし、且つ、ランプを点灯した際に温度上昇により器具内圧が非常に高くなり、気密が切れてしまうという問題を解決するため、図５に示すように、器具本体１０１内の一部にランプ室１０２を有し、器具本体１０１のランプ室１０２以外の部分に器具外部へ通じる開口部１０３を有し、ランプ室１０２内を吸入・吹出しする吸入・吹出口１０４および外部接続口を設けてランプ室１０２内に吸入・吹出口が位置するフィルタ１０５を有し、フィルタ１０５の外部接続口と開口部１０３とをつなぐ柔軟で気密性のあるチューブ１０６を有する構成として、ランプ室１０２と外気を流通させることができるようにしている。
【０００３】
しかしながら、上記構成による照明器具を設置した場合、ランプ１０７の交換を行う際に、下面開口にを設けてあり、ランプ交換する際は、まずパネル枠１０８を取り外し器具本体１０１から下方に下げ、次いで、ガラスなどによる下面の透明のパネルを開いて、下側（クリーンルームの中）からランプの交換を行う必要がある。
【０００４】
すなわち、この構成ではランプの交換作業が、クリーンルームの天井が１０ｍ程度という高さを持つために高所作業となる。また、クリーンルーム内に設置された、高い清浄度を要求される各種製造機器の上方での作業となるため、こうした機器を避けるべく移動足場や高所作業車を用いて作業を行う必要があり、手間がかかりとともにメンテナンスコストが高くなるという問題がある。また、ランプ交換作業に伴う発塵の影響で、クリーンルーム内のクリーンな環境を損なうおそれが常につきまとうこととなり、メンテナンス性に関し、十分とは言えない。
【０００５】
そこで、例えば特開２００２−１０６１９６号公報には、クリーンルーム２００の天井裏空間２０１に照明器具２０２を配備し、クリーンルーム２００の天井面２０３に、前記照明器具２０２の照明光をクリーンルーム２００内に透過させる透明板２０４を張り付けることが開示されている（図６参照）。この技術によると、照明器具２０２の照明光をクリーンルーム２００内に透過させることとしているので、透明板２０４によりクリーンルーム２００の気密性、密閉性を満たし、且つクリーンルーム２００の天井裏空間２０１内において、同空間に設置した足場を利用しながら、安全に照明器具２０２のメンテナンス作業（主にランプ交換作業）を行うことができる点において一応の効果を奏している。
【０００６】
しかしながら、クリーンルーム２００の天井面２０３に透明板２０４を張り付けることは、逆に照明器具２０２を天井裏空間２０１内に設置する構成となり、透明板２０４以外の天井材にて照明光がけられることとなり、照明効率の点において新たに照度低下が懸念される。本来照明器具に設けられるべき透明板が、天井面に設けられているからであるからである。
【０００７】
したがって、クリーンルームへの適応を考えてみると、照明器具としては、器具本体内の前面側にランプ室を設け、同ランプ室背面に器具本体の背面外部へ通じる扉の配設された開口部を設けて、前記扉を開放させて天井裏空間側から前記ランプ室内のランプが取替可能となるよう天井面に設置することが好ましい。しかし、この場合、天井面へ照明器具を取付けて気密性、密閉性を確保することとなり、天井裏空間とクリーンルームとが遮断されるために、天井裏からランプの作動状態を確認のできないという問題を発生する。
【特許文献１】特開２００３−６５５７６号公報
【特許文献２】特開２００２−１０６１９６号公報
【発明の開示】
【発明が解決しようとする課題】
【０００８】
本願発明は、上記背景技術に鑑みてなされたものであり、その課題は、気密性、密閉性を満たしてクリーンルーム等の密閉された部屋の天井面に設置して、且つ、天井裏空間側からランプ取替を容易におこなうために、設置状態における照明効率を低下させることなくメンテナンス性を高めた照明器具を提供することである。
【課題を解決するための手段】
【０００９】
上記課題を解決するために、本願発明による照明器具は、器具本体内の前面側にランプ室と、同ランプ室背面に器具本体の背面外部へ通じる扉の配設された開口部とを有して成り、前記扉を開放させて天井裏空間側から前記ランプ室内のランプが取替可能となるよう設置される照明器具という構成に対し、前記器具本体背面に、前記ランプの作動状態を表示する表示手段を設けたことを特徴としている。
【００１０】
そして、前記表示手段をＬＥＤ素子等の発光表示部材にて形成し、前記扉に設けられる取っ手等の扉開放用部材の周辺に配設するのが好ましい。
【００１１】
また、前記表示手段を、前記ランプの点灯時における不点灯作動を感知し消灯するよう成すことが好ましい。
【発明の効果】
【００１２】
本願発明の照明器具は、器具本体内前面側のランプ室に設けられるランプの作動状態が、器具本体背面の表示手段に表示されるようになるので、天井裏空間側から器具本体の背面外部へ通じる扉を開放させて、開口部からのランプ室内のランプ取替にあたり、確実に故障したランプの交換ができるものとなり、以って、気密性、密閉性を満たすとともに、クリーンルーム等の密閉された部屋の天井面への設置状態における照明効率の低下しない、メンテナンス性の高い照明器具が得られる。
【００１３】
そして、天井裏空間側から器具本体の背面外部へ通じる扉に設けられる取っ手等の扉開放用部材が、その周辺に配設された、ＬＥＤ素子等の発光表示部材にて形成された表示手段にて照明されるのでランプ取替がより容易となる。
【００１４】
また、表示手段を、ランプの点灯時における不点灯作動を感知し消灯するようにした結果として、天井裏空間の暗い環境下においてランプ故障の照明器具を容易に見つけ出すことができ、ランプ取替がさらに容易となる。
【発明を実施するための最良の形態】
【００１５】
図１〜４は、本願の請求項１乃至請求項３に対応した一実施形態である照明器具を示している。この実施形態の照明器具１は、器具本体２内の前面側にランプ室２１と、同ランプ室２１背面に器具本体２の背面外部へ通じる扉４の配設された開口部２２とを有して成り、前記扉４を開放させて天井裏空間側から前記ランプ室２１内のランプ３１が取替可能となるよう設置される照明器具であって、前記器具本体２背面に、前記ランプ３１の作動状態を表示する表示手段５を設けている。
【００１６】
この場合、前記表示手段５をＬＥＤ素子等の発光表示部材にて形成し、前記扉４に設けられる取っ手６１等の扉開放用部材６の周辺に配設して成ることとしてもいる。また、前記表示手段５を、前記ランプの点灯時における不点灯作動を感知し消灯するよう成してもいる。
【００１７】
詳しくは、この照明器具１は、蛍光灯ベースライトと呼ばれている、天井材に設けられる埋め込み穴に埋設される天井埋め込み型蛍光灯照明器具で、図１、２に示した第１実施例のものは２灯型、図３、４に示した第２実施例のものは４灯型である。
【００１８】
器具本体２は、前面側となる底部にランプ室２１を有する、図２に示すような長方形状の下面開口の箱体で、扉４の設けられている天部の、器具本体２背面外部へ通じる開口部２２以外は、密閉構造をなすように形成されている（図１参照）。器具本体２上端両側には、横向きに張り出すように取付け金具２３、２３が配設され、上記天井材背面に設置される取付けチャンネルにこの取付け金具２３、２３を懸架させて取着される。また、器具本体２の下端部周囲の鍔部２４が天井材の下面にＥＰＴゴム等を用いた本体パッキンを介して当接し、埋め込み穴に密着する。なお、ランプ室２１には、反射板８が、ランプ３１の装着される後述する照明装置３側とパネル７側とに分割されて配設されている。
【００１９】
３は、器具本体２の天部となる開口部２２に対して出入り自在に設けられる照明装置であり、後述する扉４内面に配設される２灯用の安定器３２を中心に、２灯分のランプソケットを有して構成されている。この照明装置３は、器具本体２内の一部となるランプ室２１に面するよう扉４に配設され、安定器３２以外に、同ランプ室２１内に分割配置される反射板８、８の内側に配置されたランプソケットに装着されるランプ３１、３１および、同ランプ背面においてランプ３１、３１の点灯時における不点灯作動を感知する光センサ３３、３３を有する。
【００２０】
この照明装置３においては、光センサ３３がランプ３１の点灯時における不点灯作動を感知し、周囲に拡散ドームをもったＬＥＤ素子にて形成された表示手段５を消灯するようにしている。これにより、天井裏空間の暗い環境下においてランプ故障の照明器具を容易に見つけ出すことができ、ランプ３１の取替が容易なものとなる。
【００２１】
４は上記器具本体２背面に設けられた扉で、上記照明装置３が内面に、ランプ３１の作動状態を表示する表示手段５が外面一縁部に設けられ形成され、ヒンジ４１を介して器具本体２の一縁に開閉自在に取着されている。また、この場合、表示手段５近傍に、この扉４を開放させる扉開放用部材６となる、取っ手６１および扉用錠６２を配設している。これにより、当該扉開放用部材６が、その周辺に配設された、発光表示部材にて形成された表示手段５にて照明されるので、天井裏空間側から器具本体２の背面外部へ通じる扉４を開放させてランプ３１の取替がより容易となる。
【００２２】
７は器具本体２の下端開口を被覆するガラスなどによる透明パネル体７４を有するパネルであり、上記鍔部２４にパネルパッキン７２を介してパネル枠７１の周縁部が密着して取付けられている。パネル枠７１はマジックばね７３、７３を有し、マジックばね７３を器具本体２の内側面に形成された係止部２５に係止している。パネルパッキン７２は、ＥＰＴゴムを用いたスポンジパッキンであり、パネル枠７１と器具本体２の鍔部２４との間に介在される。
【００２３】
上記構成の照明器具１を、例えばクリーンルームの天井面に設置する場合、器具本体２からパネル７を外した状態として、まず、当該器具本体２を開口部２２を上にして、天井材に形成された取付開口に向けて下側から挿入し、取付け金具２３、２３を天井材背面に設置される取付けチャンネルに懸架させて、鍔部２４を天井材の下面に本体パッキンを介して当接させ、当該器具本体２の下面開口を取付開口に向けて位置させる。次いで、取付け金具２３、２３を介して取付けチャンネルにねじ固定した後、パネル７をクリーンルーム側からマジックばね７３を介して器具本体２に取着させて設置される。
【００２４】
また、ランプ取替する際は、まず、全てのランプ３１を点灯状態とさせた後、天井裏空間側から表示手段５の点灯していない照明器具１を確認する。次いで、表示手段５の点灯していない照明器具１の扉４に設けられている扉用錠６２を取り外し、取っ手６１を持って扉４を器具本体２から上方に上げて、反射板８の内側のランプ３１をソケットから外してランプ取替をおこなう。
【００２５】
このとき、器具本体２内前面側のランプ室２１に設けられるランプ３１の作動状態が、器具本体２背面の表示手段５に表示されるようになるので、天井裏空間側から器具本体２の背面外部へ通じる扉４を開放させて、開口部２２からのランプ室２１内のランプ取替にあたり、確実に故障したランプの交換ができるものとなり、以って、気密性、密閉性を満たすとともに、クリーンルーム等の密閉された部屋の天井面への設置状態における照明効率の低下しない、メンテナンス性の高い照明器具が得られるのである。
【００２６】
次に、この発明の第２実施例の照明器具を図３、４により説明する。この照明器具１は４灯用であり、図３に示すように、２灯用の安定器３２が２個で、一対のランプソケットが４個の場合で、さらに扉４が、器具本体２の天部となる開口部２２周縁に載置される構成である。また、この扉４には、長方形状の長手方向に取っ手６１が２つ離間して配設され、発光表示部材にて形成された表示手段５がこの取っ手６１の近傍に２個設けてある。その他は、上記の第１実施例と同様である。
【００２７】
この場合、ランプ３１の点灯時における不点灯作動を感知するための光センサ３３が、１つの安定器３２にて点灯される２本のランプ３１のうちの１本に対して設けられており、図４に示すように、表示手段５のＬＥＤ素子を制御装置３４を介して点滅制御するようにしている。すなわち、２灯用の安定器３２の１つにて２本のランプ３１を点灯するため、全てのランプ３１を点灯状態とさせた場合に２個の表示手段５のうち１個が消灯状態にあるときには、４本のうちの２本のランプ３１の何れか１本の故障に対して表示手段５が消灯されたこととなる。このように、天井裏空間の暗い環境下においてランプ故障の照明器具を容易に見つけ出すことができ、さらにランプ３１の故障の絞込みも可能となり、取替が容易なものとなるのである。
【００２８】
なお、本発明は上記各実施例に限定されず、本発明の技術思想の範囲内において、各実施例は適宜変更され得ることは明らかである。
【図面の簡単な説明】
【００２９】
【図１】本願発明の一実施形態である照明器具の、第１実施例としての２灯型照明器具の概略構成を示し、（ａ）は側面断面図、（ｂ）は扉を開放させた状態図。
【図２】同照明器具の全体を示す斜視図。
【図３】同照明器具の第２実施例としての４灯型照明器具の概略構成を示す側面断面図。
【図４】同照明器具の表示手段を設ける概略構成を示す説明図。
【図５】従来例のクリーンルーム等に用いる照明器具全体を示す概略構成図。
【図６】クリーンルーム等の照明器具の設置構造の他例を示す説明図。
【符号の説明】
【００３０】
１      照明器具
２      器具本体
２１      ランプ室
２２      開口部
３１      ランプ
４      扉
５      表示手段
６      扉開放用部材
【図１】
2006120472.tif 000003
【図２】
2006120472.tif 000004
【図３】
2006120472.tif 000005
【図４】
2006120472.tif 000006
【図５】
2006120472.tif 000007
【図６】
2006120472.tif 000008